(57)【要約】  【課題】  現在視聴中の放送番組を視聴しながら直ぐにその番組の予約設定を行うことができる録画装置を提供する。【解決手段】  キー入力手段１３の録画キーが短押し操作されたとき、予約録画の開始指令として受信手段２で現在受信中のチャンネルを認識し、前記録画キーが長押し操作されたとき、取得手段１１を動作させることにより、当該チャンネルに関した電子番組案内情報を取得させて記憶手段１２に記憶させ、次に前記録画キーが短押し操作されたとき、前記電子番組案内情報を前記記憶手段１２から読み出して表示手段１５により毎日録画の予約情報を画面に表示させて所定時間の経過後に予約設定手段１６により毎日録画予約を設定させる一方、所定時間内に前記録画キーが短押し操作されたときは、毎週録画の予約情報を前記画面に表示させて所定時間の経過後に毎週録画予約を設定させる制御手段１８を備えた。【選択図】      図１
2009005035.tif 000002
【特許請求の範囲】
【請求項１】
テレビジョン放送信号を受信する受信手段と、
この受信手段からの映像信号を受けて放送番組の映像を表示するモニタの画面に、録画予約に関した情報を表示させる表示手段と、
操作時間や操作回数の違いにより予約録画開始、毎日録画、毎週録画、通常録画等の各種指令を出力する録画キーを備えたキー入力手段と、
チャンネル、番組名、開始日時、終了日時、放送日、毎週放送等の連続放送番組に関した情報を含む電子番組案内情報を取得する取得手段と、
前記電子番組案内情報を記憶する記憶手段と、
録画の予約設定を行う予約設定手段と、
前記録画キーから予約録画の開始指令が入力したとき、前記受信手段で現在受信中のチャンネルを認識して前記取得手段を動作させることにより、当該チャンネルに関した電子番組案内情報を取得させて前記記憶手段に記憶させ、次に前記何れかの録画指令が入力したとき、その指令内容に応じた電子番組案内情報を前記記憶手段から読み出して前記表示手段によりその録画予約情報を前記画面に表示させ、所定時間の経過後に前記予約設定手段により録画予約を設定させる制御手段と、を備えた録画装置。
【請求項２】
前記制御手段が、前記録画指令を受けたとき、毎日録画、毎週録画、通常録画の順で予約設定動作を制御することを特徴とする請求項１に記載の録画装置。
【請求項３】
前記制御手段が、前記録画キーの短押し時に予約録画を開始し、長押し時に前記取得手段を動作させ、次の短押し時に毎日録画、毎週録画あるいは通常録画の予約設定動作を制御することを特徴とする請求項１または２に記載の録画装置。
【請求項４】
前記表示手段が、前記モニタの画面における一部に前記録画予約情報を表示させることを特徴とする請求項１に記載の録画装置。
【請求項５】
テレビジョン放送信号を受信する受信手段と、
この受信手段からの映像信号を受けて放送番組の映像を表示するモニタの画面に、録画予約に関した情報を表示させる表示手段と、
短押しと長押し操作の違いにより予約録画開始、毎日録画、毎週録画、通常録画等の各種指令を出力する録画キーを備えたキー入力手段と、
チャンネル、番組名、開始日時、終了日時、放送日、毎週放送等の連続放送番組に関した情報を含む電子番組案内情報を取得する取得手段と、
前記電子番組案内情報を記憶する記憶手段と、
録画の予約設定を行う予約設定手段と、
前記録画キーが短押し操作されたとき、予約録画の開始指令として前記受信手段で現在受信中のチャンネルを認識し、前記録画キーが長押し操作されたとき、前記取得手段を動作させることにより、当該チャンネルに関した電子番組案内情報を取得させて前記記憶手段に記憶させ、次に前記録画キーが短押し操作されたとき、前記電子番組案内情報を前記記憶手段から読み出して前記表示手段により毎日録画の予約情報を前記画面に表示させて所定時間の経過後に前記予約設定手段により毎日録画予約を設定させる一方、所定時間内に前記録画キーが短押し操作されたときは、毎週録画の予約情報を前記画面に表示させて所定時間の経過後に毎週録画予約を設定させる制御手段と、を備えた録画装置。
【発明の詳細な説明】
【技術分野】
【０００１】
本発明は、テレビジョン放送番組を情報記録媒体に記録する機能を備えた録画装置に係り、特に、電子番組案内情報であるＥＰＧ（Electric Program Guide）を取得して視聴中の放送番組を簡便に予約録画可能とする録画装置に関する。
【背景技術】
【０００２】
テレビ放送番組をより簡便に予約録画する装置や方法が各種提案されている。
【０００３】
例えば、現在視聴中の番組の次回放送分以降を簡単に予約設定することを目的とした録画再生機能付テレビジョン受像機が知られている。
【０００４】
このテレビジョン受像機は、チューナからの映像信号を録画、再生する録画再生ユニットを備えたもので、キー入力部、録画時間枠選択部、録画曜日選択部、タイマ設定部およびタイマ制御部を設けている。
【０００５】
そして、キー入力部により録画予約設定のためのキー入力がなされると、録画時間枠選択部が時計制御部によって現在時刻を得、この現在時刻に基づいて予め設定された録画時間枠テーブルより録画時間枠を選択する。
【０００６】
また、録画曜日選択部は、毎週、毎日、毎週月曜日〜金曜日等の録画曜日を選択する。
【０００７】
さらに、タイマ設定部が、表示部に表示されている現在視聴中の番組である選局中のチャンネルを、録画曜日選択部と録画時間枠選択部とにより選択された録画時間枠で録画するよう、録画予約の設定を行うようになっている。
【０００８】
これにより、定まった時間枠に放送される番組の次回放送分以降を複数種類の放送曜日のいずれにも対応して簡単に設定できるというものである。
【特許文献１】特開平１１−９８４４９号公報また、所望の番組予約設定を設定漏れなく確実に手軽に行える使い勝手の良い録画システム、録画装置および録画方法も提案されている。この録画システムは、チャンネル、開始日時、終了日時、番組名、連続放送番組についての繰り返し予約設定情報を含む電子番組案内情報が記憶され、この電子番組案内情報をネットワークに送出するサーバに録画装置が接続されている。そして、この録画装置は、ネットワーク経由でサーバにアクセスし、電子番組案内情報を取得する取得手段と、電子番組案内情報の中から所望の番組を選択する選択手段と、この選択手段が連続放送番組を選択したとき、自動的に繰り返し予約設定を行う予約設定手段とを有している。また、この予約設定手段で設定された開始日時になると、設定されているチャンネルの番組を受信手段により受信させる制御手段と、受信手段で受信した予約番組を記録媒体に記録させる記録手段等を備えて構成されている。この録画システムは、受信手段であるチューナ部がテレビジョン放送信号を受信すると、取得手段がネットワーク経由でサーバにアクセスし、電子番組案内情報を取得する。そして、選択手段が電子番組案内情報の中から所望の連続放送番組を選択すると、予約設定手段が自動的に繰り返し予約設定情報に基づく毎週や毎日等の予約設定録画を行う。これにより、電子番組案内情報の中から連続ドラマ等を選択するだけで、確実な予約設定が可能となり、設定漏れが軽減されて、予約作業の簡易化が実現される。また、予約設定は、繰り返し（毎水等）の毎○予約有効開始日（○月○日以降等）も指定できるので、従来不可であったスタート日を含み、２週間先からの番組でもその前にその曜日がきたら録画を行えるというものである。
【特許文献２】特開２００６−２８７５４７号公報
【発明の開示】
【発明が解決しようとする課題】
【０００９】
ところで、上記特許文献１の発明は、次回放送分以降を毎週、毎日、毎週月曜日〜金曜日といった放送曜日のいずれにも対応して簡単に設定し得るが、キー入力部により録画予約設定を入力し、画面に電子番組案内情報を表示させてから、選択手段で所望の番組を予約設定しなければならない。
従って、放送番組の情報取得から予約設定までに数段階を要し、現在視聴中の放送番組について、その画面に映像が表示されている状態で直ぐに連続番組か否かを確認したうえ、予約設定に入るといった迅速な処理はできなかった。
また、上記特許文献２の発明は、電子番組案内情報の中から連続ドラマ等を選択することで、所望の番組予約設定を漏れなく確実に行うものであるが、リモコンのキー操作により電子番組案内情報を取得し、画面に番組表を表示させてから、予約設定する必要がある。
よって、上記特許文献１の発明と同じく、電子番組案内情報の取得から予約設定までに数段階を要するため、画面に映像が表示されている状態で予約設定に入るといったことはできなかった。
本発明は、上記課題に鑑みてなされたもので、現在視聴中の放送番組を視聴しながら直ぐにその番組の予約設定を行うことができる録画装置を提供することを目的としている。  
【課題を解決するための手段】
【００１０】
上記目的を達成するため、本発明による録画装置は、テレビジョン放送信号を受信する受信手段と、この受信手段からの映像信号を受けて放送番組の映像を表示するモニタの画面に、録画予約に関した情報を表示させる表示手段と、操作時間や操作回数の違いにより予約録画開始、毎日録画、毎週録画、通常録画等の各種指令を出力する録画キーを備えたキー入力手段と、チャンネル、番組名、開始日時、終了日時、放送日、毎週放送等の連続放送番組に関した情報を含む電子番組案内情報を取得する取得手段と、前記電子番組案内情報を記憶する記憶手段と、録画の予約設定を行う予約設定手段と、前記録画キーから予約録画の開始指令が入力したとき、前記受信手段で現在受信中のチャンネルを認識して前記取得手段を動作させることにより、当該チャンネルに関した電子番組案内情報を取得させて前記記憶手段に記憶させ、次に前記何れかの録画指令が入力したとき、その指令内容に応じた電子番組案内情報を前記記憶手段から読み出して前記表示手段によりその録画予約情報を前記画面に表示させ、所定時間の経過後に前記予約設定手段により録画予約を設定させる制御手段と、を備えたことを特徴としている。
また、前記制御手段が、前記録画指令を受けたとき、毎日録画、毎週録画、通常録画の順で予約設定動作を制御することを特徴としている。
また、前記制御手段が、前記録画キーの短押し時に予約録画を開始し、長押し時に前記取得手段を動作させ、次の短押し時に毎日録画、毎週録画あるいは通常録画の予約設定動作を制御することを特徴としている。
また、前記表示手段が、前記モニタの画面における一部に前記録画予約情報を表示させることを特徴としている。
さらに、本発明による録画装置は、テレビジョン放送信号を受信する受信手段と、この受信手段からの映像信号を受けて放送番組の映像を表示するモニタの画面に、録画予約に関した情報を表示させる表示手段と、短押しと長押し操作の違いにより予約録画開始、毎日録画、毎週録画、通常録画等の各種指令を出力する録画キーを備えたキー入力手段と、チャンネル、番組名、開始日時、終了日時、放送日、毎週放送等の連続放送番組に関した情報を含む電子番組案内情報を取得する取得手段と、前記電子番組案内情報を記憶する記憶手段と、録画の予約設定を行う予約設定手段と、前記録画キーが短押し操作されたとき、予約録画の開始指令として前記受信手段で現在受信中のチャンネルを認識し、前記録画キーが長押し操作されたとき、前記取得手段を動作させることにより、当該チャンネルに関した電子番組案内情報を取得させて前記記憶手段に記憶させ、次に前記録画キーが短押し操作されたとき、前記電子番組案内情報を前記記憶手段から読み出して前記表示手段により毎日録画の予約情報を前記画面に表示させて所定時間の経過後に前記予約設定手段により毎日録画予約を設定させる一方、所定時間内に前記録画キーが短押し操作されたときは、毎週録画の予約情報を前記画面に表示させて所定時間の経過後に毎週録画予約を設定させる制御手段と、を備えたことを特徴としている。
【発明の効果】
【００１１】
以上説明したように、本発明による録画装置は、前記録画キーから指令が入力したとき、現在受信中のチャンネルに関した電子番組案内情報を取得させ、次に入力する指令内容に応じた録画予約情報を画面に表示させて所定時間の経過後に予約設定手段により録画予約を設定させることから、ユーザーが放送番組を視聴しつつ録画キーを操作するのみで、簡易に毎日録画、毎週録画または通常録画を予約設定できる効果がある。
また、前記制御手段が、記録画指令を受けたとき、毎日録画、毎週録画、通常録画の順で予約設定動作を制御することから、連続番組が毎日および毎週あるか否かに応じて画面に録画予約情報を表示させ、ユーザーに選択させることができる利点がある。
また、前記制御手段が、録画キーの短押し時に予約録画を開始し、長押し時に前記取得手段を動作させ、次の短押し時に毎日録画、毎週録画あるいは通常録画の予約設定動作を制御することから、１つの録画キーの操作のみで各種の録画予約を設定できる利点がある。
また、前記表示手段が、モニタの画面における一部に前記録画予約情報を表示させることから、ユーザーが映像を見ながら支障なく録画予約の操作を行える利点がある。
さらに、本発明による録画装置は、前記録画キーが短押し操作されたとき、予約録画を開始して現在受信中のチャンネルを認識し、録画キーが長押し操作されたとき、当該チャンネルに関した電子番組案内を取得させ、次に前記録画キーが短押し操作されたときは、所定時間内か否かによって毎日録画予約を設定したり、毎週録画予約を設定するので、ユーザーが放送番組を視聴しつつ録画キーを短押しまたは長押し操作するのみで、簡易に毎日録画や毎週録画等を予約設定できる効果がある。
【発明を実施するための最良の形態】
【００１２】
以下、本発明に係る録画装置の実施形態について、図面を参照しながら詳述する。
図１は本発明の一実施形態である録画装置の電気的構成を示すブロック線図である。
本実施形態の録画装置は、ＨＤおよびＤＶＤの録画再生機能を備えたレコーダー一体型テレビに適用されたもので、ＨＤにテレビジョン放送番組を更新記録し、この記録情報をＤＶＤにダビング可能な構成となっている。
【００１３】
図１において、１はアンテナであり、受信したテレビジョン放送信号をチューナ２に送出する。
このチューナ２は、制御部１８からの選局指令に応じて受信したテレビジョン放送信号に含まれる映像情報を抽出し映像処理部３に供給する。また、テレビジョン放送信号に含まれる音声情報を抽出し音声処理部４に供給する。
【００１４】
さらに、テレビジョン放送信号としてブロードキャストされたＥＰＧを抽出し、ＥＰＧ取得部１１に供給する。
映像処理部３は、チューナ２からの映像情報に各種の画像処理を施して出力処理部５に送出する。
【００１５】
一方、音声処理部４は、チューナ２からの音声情報に各種の音声信号処理（例えば、サラウンド処理等）を施して出力処理部５に送出する。
【００１６】
この出力処理部５は、リモコン１６からの指令に基づく制御部１８の制御信号に応じて、前記映像情報および音声情報の出力先を決定し、モニタ６、スピーカ７または記録再生制御部８に供給する。
モニタ６は、ＣＲＴやＬＣＤ等のディスプレイであって、出力処理部５から送出されてくる映像情報に対応して映像を画面に表示する。
【００１７】
また、制御部１８の表示指令に基づき、表示制御部１５からのＯＳＤ情報を受けて、映像とともに各種の文字、サイン等を表示する。
スピーカ７は、出力処理部５から送出されてくる音声情報を、チャンネル毎に各スピーカに振り分けて放音させる。
記録再生制御部８は、ＨＤＤ９を制御し出力処理部５からの映像情報や音声情報をＨＤに更新記録させる。
また、ドライバ１０を制御し出力処理部５からの映像情報や音声情報を例えば、ＤＶＤに記録させる。
【００１８】
一方、記録再生制御部８は、ＨＤの記録情報やＤＶＤの記録情報を再生させて、映像情報を映像処理部３に、音声情報を音声処理部４にそれぞれ供給する。
ＥＰＧ取得部１１は、チューナ２からのＥＰＧ情報を取得し、制御部１８およびＥＰＧ記憶部１２に送出する。
このＥＰＧ記憶部１２は、メモリテーブルを構成し、図２に一例を示すようなＥＰＧ情報を記憶する。
１３はリモコンであり、普及型のレコーダー一体型テレビが有する各種機能キーを備えている。
即ち、録画・再生・編集に関するキーとして、ＨＤＤまたはＤＶＤの選択キー、再生キー、停止キー、一時停止キー、早送りキー、早戻しキー、スキップキー、録画キー、ダビングキー、プレイリストキー、カーソルキー、決定キーその他である。
このリモコン１３は、何れかのキーを操作すると、指令信号が赤外線信号として送信される。
そして、この赤外線信号が受信部１４で受信されると、伝送信号が制御部１８に送出される。
１５は、表示制御部であり、ＯＳＤ（On Screen Display）回路を有して構成されている。この表示制御部１５は、制御部１８の制御により出力処理部５に文字、サイン等のキャラクタデータを出力し、モニタ６の画面における下部側に予約録画に関した情報を表示させる。
１６は、予約設定部であり、制御部１８の制御に従って放送番組の通常予約や連続予約の設定を行い、その予約内容をメモリ１７に記憶させる。
この制御部１８は、ＣＰＵ，ＲＯＭ，ＲＡＭを備えたマイクロコンピュータであり、タイマやカウンタ等を備えている。
タイマは、録画キー等のキー操作時間を計測し、カウンタは、録画指令の入力回数等をカウントする。
この制御部１８は、リモコン１３からの指令信号に基づいて、テレビジョン受像機全体の動作制御を行う。
また、録画キーからの指令信号を受けると、その入力時間、入力回数、入力間隔に基づき、予めＲＯＭに記憶された録画キーのデータから指令内容を認識して、対応する動作制御を行う構成になっている。
次に、上記レコーダー一体型テレビの動作について、図を参照しつつ説明する。
ユーザーが、リモコン１３を操作してあるチャンネルの放送番組を選択すると、モニタ６の画面に映像が映し出される。
この番組を視聴しているユーザーが、連続で録画したいと思った場合、まず、リモコン１３の録画キーを短押し操作する（このとき、時刻は午前８時２０分頃とする）。
この短押し指令が制御部１８に入力すると、録画モードに移行して表示制御部１５を動作させる。
そして、図４に示す如くモニタ６の画面における下部側に「録画予約」の文字を表示させる。これにより、ユーザーは、映像を見ながら録画予約に入ることを確認できる。
つぎに、ユーザーが録画キーを長押しすると、制御部は長押し指令に応じて現在、チューナ２が受信しているチャンネルを認識する。
続いて、ＥＰＧ取得部１１を動作させ、当該チャンネルに関した電子番組案内情報を取得させるとともに、この取得情報をＥＰＧ記憶部１２に記憶させる。  
【００１９】
これに伴い、このＥＰＧ記憶部１２は、図２に示すようなメモリテーブルで電子番組案内情報を記憶させる。
ここでは、電子番組案内情報（ＥＰＧ情報）を例えば、チャンネル：１、放送局名：ＭＨＫ、番組名：春秋物語、開始日時：８時１５分、終了日時：８時３０分、放送日：月曜〜土曜、毎週放送有とする。
次に、ユーザーが録画キーを短押しすると、制御部１８は短押し指令に応じてメモリテーブルを検索し、このチャンネル１における番組名、開始時刻、終了時刻、放送日のみを読み出す。
なお、放送日が月曜〜土曜であると、制御部１８は毎日放送有りと判断し、表示制御部１５を動作させて、番組名、開始時刻、終了時刻、放送日に対応する文字データを出力処理部５に出力させる。
これにより、モニタ６の画面には、図５に示すように「春秋物語８：１５〜８：３０（月〜土）」が表示される。
続いて、制御部１８は、図６に示す如く画面に「毎日録画予約しますか」を表示させる。
この状態で何ら指令がなく５秒間が経過すると、制御部１８は自動的に録画予約を確定し、予約設定部１６を動作させる。これにより、春秋物語が８時１５分〜８時３０分の時間帯で、月曜から土曜まで予設定される。
【００２０】
この後、制御部１８は、表示制御部１５を動作させ、図７に示すように、画面に「毎日録画予約しました」を表示させる。
なお、前記２回目の短押し指令を受けたときに、毎日放送が無い場合、制御部１８は直ぐにメモリテーブルから毎週放送の有無を検索する。
ここで、毎週放送が有ると、制御部１８は、図８に示す如く画面に「春秋物語８：１５〜８：３０（毎週日曜）」を表示させる。
そして、図９に示すように、「毎週録画予約しますか」を表示させる。この状態で何ら指令がなく５秒が経過すると、制御部１８は自動的に録画予約を確定し、春秋物語を８時１５分〜８時３０分の時間帯で毎週日曜に予約設定させる。
【００２１】
続いて、制御部１８は、図１０に示す如く「毎日録画予約しました」を表示させる。
なお、前記３回目の短押しを受けたときに、毎週放送が無い場合、図１１に示すように、画面に「毎週データがありません」を表示させる。
このように、毎日放送や毎週放送が無いとき、制御部１８は通常録画を実行させる。ここでは、記録再生制御部８を制御してドライバ１０等を動作させることにより、現在受信中のチャンネルをＤＶＤに記録させる。
但し、録画させる必要がないときは、ユーザーが録画キーを短押しする。すると、これを受けた制御部１８は予約無しと判断し、予約モードから抜けて最初の状態に戻る。
このように、ユーザーがモニタ６の画面で放送番組の映像を見ながら、リモコン１３の録画キーを押下操作するのみで、簡易に毎日録画または毎週録画の何れかを選択設定できる。
よって、従来のように、リモコンの操作により、モニタ６の画面にメニューを表示させて、順次案内に従いながら予約設定してゆく場合に比して予約録画の操作が極めて簡便かつ迅速に行える。
また、録画予約を１個の録画キーのみで行えるから、レコーダー一体型テレビを含む録画装置の構成が簡単になる。
なお、前記電子番組案内情報をＥＰＧ取得部１１にて取得させる構成としたが、ネットワークに接続できる通信回路を備え、電子番組案内情報を蓄積したサーバにアクセスして取得するようにしてもよい。
さらに、録画予約を録画キーの操作により設定可能としたが、リモコン１３に設けられた決定キーを併用し、録画キーで選択した録画内容を決定キーの操作で決定する構成としてもよい。
また、本発装置明は上記の各実施形態に限定されず、本発明の趣旨を逸脱しない範囲で、種々の変更が可能である。
【図面の簡単な説明】
【００２２】
【図１】本発明の一実施形態である録画装置の電気的構成を示すブロック線図である。
【図２】録画キーの操作に対する動作内容の説明図である。
【図３】メモリテーブルに記憶された電子番組案内情報の例示図である。
【図４】映像中に表示された録画予約を示す画面図である。
【図５】同電子番組案内情報の一例を示す画面図である。
【図６】同毎日録画予約の質問を示す画面図である。
【図７】同毎日録画予約の完了を示す画面図である。
【図８】同電子番組案内情報の他の例を示す画面図である。
【図９】同毎週録画予約の質問を示す画面図である。
【図１０】同毎日録画予約の完了を示す画面図である。
【図１１】同毎週録画予約のデータが無い場合を示す画面図である。
【符号の説明】
【００２３】
２     受信手段
１１   取得手段
１３   キー入力手段
１５   表示手段
１６   予約設定手段
１８   制御手段
【図１】
2009005035.tif 000003
【図２】
2009005035.tif 000004
【図３】
2009005035.tif 000005
【図４】
2009005035.tif 000006
【図５】
2009005035.tif 000007
【図６】
2009005035.tif 000008
【図７】
2009005035.tif 000009
【図８】
2009005035.tif 000010
【図９】
2009005035.tif 000011
【図１０】
2009005035.tif 000012
【図１１】
2009005035.tif 000013